(57)【要約】【課題】免震性を向上すると同時に、施工性の優れた免震性を有する構築物の開発にある。【解決手段】（１）構築物さお石と、構築物土台からなる構築物において、構築物土台と構築物さお石の中間に、シートと、球状体からなる転倒防止シートを挿入すると同時に、更に外部球状体を挿入した構造であることを特徴とする。（２）構築物さお石と、構築物中間台、構築物土台からなる構築物において、構築物土台と構築物中間台及び構築物中間台と構築物さお石の中間に、シートと、球状体からなる転倒防止シートを挿入すると同時に、更に外部球状体を挿入した構造であることを特徴とする。【選択図】      図２
0003121572.tif 000002
【実用新案登録請求の範囲】
【請求項１】
構築物さお石と、構築物土台からなる構築物において、構築物土台と構築物さお石の中間に、シートと球状体からなる転倒防止シートを挿入すると同時に、更に外部球状体を挿入した構造であることを特徴とする構築物。
【請求項２】
構築物さお石と、構築物中間台、構築物土台からなる構築物において、構築物土台と構築物中間台及び構築物中間台と構築物さお石の中間に、シートと球状体からなる転倒防止シートを挿入すると同時に、更に外部球状体を挿入した構造であることを特徴とする構築物。
【請求項３】
請求項１または２または３記載の構築物において、シートと球状体からなる転倒防止シートに、管状移動防止壁が設けられて、シート内に管状移動防止壁が配置され、球状体は、該管状移動防止壁の中に存在することを特徴とする構築物。
【請求項４】
請求項１または２または３記載の構築物において、シートとして、弾性材の単一層からなる弾性シートであることを特徴とする構築物。
【請求項５】
請求項１または２または３記載の構築物において、シートとして、弾性材と、金属乃至プラスチックスが積層されたシートであることを特徴とする構築物。
【請求項６】
請求項１または２または３記載の構築物において、転倒防止シート内に存在する球状体の高さは、シートの厚みと同等乃至０．５〜５．０ミリメートル大きく、転倒防止シート外に存在する球状体の高さは、転倒防止シート内に存在する球状体の高さと同等乃至０．５〜５．０ミリメートル大きいことを特徴とする構築物。
【考案の詳細な説明】
【技術分野】
【０００１】
本考案は、免震性を有する構築物に関し、更に詳しくは、免震性を向上すると同時に、施工性の優れた免震性を有する構築物に関する。
【背景技術】
【０００２】
地震などにより墓などの構築物が倒壊することは広く経験するところである。このような構築物の倒壊防止のため種々の方法が提案されている。例えば、墓石さお石と墓石土台の間に貫通する金属棒を嵌合させる倒壊防止に関する方法も提案されているが（特許文献１）、施工が複雑である欠点がある。本考案者は弾性材と球状体を使用した転倒防止シートの提案を行っているが（特許文献２）、施工性になお改良の余地があった。
【０００３】
【特許文献１】特開２００５−１８０１３０号
【特許文献２】ＰＣＴ／ＪＰ２００５／１８８５９号
【０００４】
本考案者は、施工性の改良された免震性向方法、免震性を有する構築物を鋭意研究の結果、弾性材からなるシートと該シートと球状体からなる転倒防止シートを挿入すると同時に、該転倒防止シートの外部に、更に外部球状体を挿入した構造とすることにより可能であることを見いだし本考案に到達したのである。
【考案の開示】
【考案が解決しようとする課題】
【０００５】
すなわち、本考案の目的は、免震性を向上すると同時に、施工性の優れた免震性を有する構築物の開発にある。
【課題を解決するための手段】
【０００６】
すなわち、本考案の免震性を有する構築物は、以下の特徴を有する。
（１）構築物さお石と、構築物土台からなる構築物において、構築物土台と構築物さお石の中間に、シートと球状体からなる転倒防止シートを挿入すると同時に、更に外部球状体を挿入した構造であることを特徴とする。
（２）構築物さお石と、構築物中間台、構築物土台からなる構築物において、構築物土台と構築物中間台及び構築物中間台と構築物さお石の中間に、シートと球状体からなる転倒防止シートを挿入すると同時に、更に外部球状体を挿入した構造であることを特徴とする。
（３）  （１）または（２）または（３）記載の構築物において、シートと球状体からなる転倒防止シートに、管状移動防止壁が設けられて、シート内に管状移動防止壁が配置され、球状体は、該管状移動防止壁の中に存在することを特徴とする。
（４）  （１）または（２）または（３）記載の構築物において、シートとして、弾性材の単一層からなることを特徴とする。
（５）  （１）または（２）または（３）記載の構築物において、シートとして、弾性材と金属乃至プラスチックスが積層されたシートであることを特徴とする。
（６）  （１）または（２）または（３）記載の構築物において、転倒防止シート内に存在する球状体の高さは、シートの厚みと同等乃至０．５〜５．０ミリメートル大きく、転倒防止シート外に存在する球状体の高さは、転倒防止シート内に存在する球状体の高さと同等乃至０．５〜５．０ミリメートル大きいことを特徴とする。
【０００７】
本考案の対象である構築物は、第一の構成として、最上部に構築物さお石があり、その下に構築物土台とする構成がある。第二の構成として、構築物さお石があり、中間に構築物中間台、最下層に構築物土台とする構成がある。
【０００８】
本考案においては、弾性材からなるシートと該シートと一体化した球状体からなる転倒防止シートを挿入すると同時に、該転倒防止シートの外部に、更に外部球状体を挿入した構造であることが必須である。墓石を組み立てるに際して、墓石さお石、墓石中間台を微調整して移動する必要があるが、転倒防止シートの外に存在する外部球状体により、墓石さお石、墓石中間台の移動が容易に可能となるからである。
【０００９】
本考案においては、転倒防止シートによって免震性が与えられている。ここに使用される転倒防止シートは、弾性材からなるシート、あるいは弾性材と金属乃至プラスチックスからなるシートと、球状体とからなり、好ましくは、管状移動防止壁が追加され、シートに管状移動防止壁が配置され、管状移動防止壁の中に球状体が存在する。ここで配置したとは、具体的にはシートを形成する層の一部に欠落部を形成させ、この部分に管状移動防止壁や球状体を配した構造や、シートに管状移動防止壁や球状体を埋設した構造等をいう。管状とは、楕円、円あるいは四角の断面を有する管の形状をいい、円柱の中心部が欠落した構造である。ここで、管の断面方向は、シートの面と平行であり、管の壁はシート面と交差して存在する。かかる構造であれば、管の内部に球状体を配した時、管の壁は、球状体の移動を防止する移動防止壁となり、管の内側に存在する球状体の位置を一定範囲に保つことが可能である。
【００１０】
本考案において、使用される球状体の高さは、弾性材からなるシートの厚さより大きいことが好ましい。球状体として、金属など重量により変形可能な材料を使用すれば、球状体の上にある墓石さお石などの重量により変形して、球状体の高さは、弾性材からなるシートの厚さと同程度まで変形することになる。
【００１１】
本考案において、球状体とは、球、楕円球、角が丸くなった円柱、角が丸くなった楕円柱、錠剤型形状をあげることができる。また球状体の大きさとして、径が０．５〜５．０ミリメートルの範囲をあげることができる。また外部球状体とは、構築物土台と構築物さお石の中間の箇所乃至構築物土台と構築物中間台の中間の位置、及び構築物中間台と構築物さお石の中間の位置に存在し、形状は球状体であるが、転倒防止シートから離れた外部に存在する球状体をいう。
【００１２】
転倒防止シート内に存在する球状体の高さは、弾性材からなるシートの厚みと同等乃至０．５〜５．０ミリメートル大きいことが好ましい。０．５ミリメートルより小さいと、墓石設置工事中に球状体が押しつぶされ、墓石さお石、墓石中間台の微調整が困難であるからであり、５．０ミリメートルより大きいと墓石使用中に球状体が押しつぶされて弾性材からなるシートの厚みと同一になるのに困難を伴うからである。
【００１３】
本考案において、球状体乃至外部球状体に使用できる材料としては金属、プラスチックスをあげることができる。金属としては、好ましくは、スズ、ハンダ、ステンレス、鉛、真鍮、銅、金メッキ・銀メッキした真鍮や銅をあげることができる。金・銀・白金などの貴金属は高価すぎるし、亜鉛などでは、使用中酸化しやすいからである。使用できるプラスチックスとしては、ポリエチレン、ポリプロピレン、ポリエステルなどの線状高分子や、メラミン樹脂、フェノール樹脂、エポキシ樹脂などの架橋構造を有するプラスチックスをあげることができる。
【００１４】
また、転倒防止シート外に存在する外部球状体の高さは、転倒防止シート内に存在する球状体の高さと同等乃至０．５〜５．０ミリメートル大きいことが好ましい。０．５ミリメートルより小さいと、墓石設置工事中に外部球状体が押しつぶされ、墓石さお石、墓石中間台の微調整が困難であるからであり、５．０ミリメートルより大きいと、墓石使用中に外部球状体が押しつぶされて弾性材からなるシートの厚みと同一になることがないからである。転倒防止シート外に存在する外部球状体としては、転倒防止シートで使用する球状体と同一材料とすることができる。
【００１５】
本考案において、弾性材として使用できる材料としては、ウレタンエラストマー、ポリウレタンゴム、ブチルゴム、シリコンゴム、スチレン・ブタジエン・アクリロニトリルゴムなどの合成ゴムや天然ゴムなどの弾性材をあげることができる。
【００１６】
本考案において、シートとして、弾性材のみからなるシート、及び弾性材と金属乃至プラスチックスとの積層体を使用することができる。使用できる金属としては、スズ、ハンダ、ステンレス、鉛、真鍮、金メッキ・銀メッキした真鍮をあげることができ、
プラスチックスとしては、ポリエステル、ポリアミド、ポリオレフィンなどをあげることができる。弾性材シートに使用できる材料としては、ポリウレタンゴム、シリコンゴム、スチレン・ブタジエン・アクリロニトリルゴムなどの合成ゴムや天然ゴムなどの弾性材をあげることができる。
【００１７】
本考案において、管状移動防止壁が追加され、球状体は、該管状移動防止壁の中に存在し、かつ球状体の高さは、該管状移動防止壁の高さより高いことが好ましい。転倒防止シート作成の際、球状体の位置決めが容易となるからである。
【００１８】
本考案において、シートは、墓石中間台、墓石土台に接着することができる。墓石中間台、墓石土台に接着することにより、転倒防止シートの設置位置の位置決めが容易となる。ここに使用できる接着剤としては、エポキシ樹脂、シアノアクリレート樹脂、アクリル樹脂、メタクリル樹脂、酢酸ビニル樹脂など従来公知の樹脂を使用できる。
【００１９】
本考案において、地震における縦揺れ対し、シートは、地震エネルギーを吸収すると同時に、球状体も縦揺れにおいて一部変形して地震エネルギーを吸収するのである。一方地震における横揺れにおいては、シートが地震エネルギーを吸収すると同時に、球状体が移動して地震エネルギーによる破壊を弱める働きがある。
【００２０】
構築物土台乃至構築物中間台の上に転倒防止シートを配置する個数として、４個乃至８個配置することが好ましい。４個配置する場合の配置方法として、四辺形の角に配置する場合、四辺形の辺の中央に配置する場合がある。また、外部球状体の配置個数として、３個以上８個以内配置することが好ましい。
【００２１】
本考案において、シートは着色することができる。着色は、好ましくは青（緑）、赤、白、黒に着色される。四方の神を表す四神は、東（青龍）：青（緑）、南（朱雀）：赤、西（白虎）：白、北（玄武）：黒とされるからである。着色は、好ましくは有機乃至無機顔料を配合することにより可能である。
【考案を実施するための最良の形態】
【００２２】
図１は、構築物さお石３と、構築物中間台４の間に転倒防止シート８、外部球状体９、外部管状移動防止壁１０を挿入し、同様に構築物中間台４と構築物土台２の間に、転倒防止シート８、外部球状体９、外部管状移動防止壁１０を挿入した構築物１の正面図である。
図２は、図１に示した免震性を有する構築物１の構築物土台２の平面図である。
【００２３】
図３は、図２に示した図面のＡ−Ｂ面における断面図である。外部球状体９が、上にある構築物中間台４の重量を支えているため、図４に示す如く構築物中間台４の位置が偏在していても容易に修正可能である。図５は、図３において、弾性材５の代わりに、弾性材５と金属１１の積層体を使用した免震性を有する構築物１の断面図である。
【００２４】
以上の説明によって明らかな様に、本考案による免震構築物は以下に示した如く、実用上の好ましい効果を奏する。
（ａ）  弾性材からなるシートと球状体からなる転倒防止シートを挿入すると同時に、該転倒防止シートの外部に、更に外部球状体を挿入した構造であるため、構築物さお石を施工後容易に移動することができ、構築物さお石の位置の微調整が容易である。
（ｂ）  微調整後、外部球状体は、構築物の重量などにより押しつぶされ固定化され、かつ免震性が発揮される。
（ｃ）  構築物土台乃至構築物中間台と、構築物さお石の間に、シートと球状体からなる転倒防止シートを挿入すると同時に、該転倒防止シートの外部に、更に外部球状体を挿入するのみで有効であり工事が簡単であり、コスト上昇も殆どない。
（ｄ）  構築物さお石などを取り外し、再度組み立てるのも容易である。
【図面の簡単な説明】
【００２５】
【図１】構築物さお石と、構築物中間台の間に転倒防止シート、外部球状体、外部管状移動防止壁を挿入し、同様に構築物中間台と構築物土台の間に、転倒防止シート、外部球状体、外部管状移動防止壁を挿入した構築物の正面図である。
【図２】図１に示した免震性を有する構築物の構築物中間台部分の平面図である。
【図３】図２に示した構築物土台のＡ−Ｂ面における断面図である。
【図４】図２に示した構築物土台のＡ−Ｂ面において、構築物中間台が偏在して置かれた場合の、平面図である。
【図５】図３において、弾性材の代わりに、弾性材と金属シートの積層体を使用した構築物の断面図である。
【符号の説明】
【００２６】
１      構築物
２      構築物土台
３      構築物さお台
４      構築物中間台
５      弾性材
６      球状体
７      管状移動防止壁
８      転倒防止シート
９      外部球状体
１０    外部管状移動防止壁
【図１】
0003121572.tif 000003
【図２】
0003121572.tif 000004
【図３】
0003121572.tif 000005
【図４】
0003121572.tif 000006
【図５】
0003121572.tif 000007